【手続補正書】
【提出日】平成18年10月26日(2006.10.26)
【手続補正１】
【補正対象書類名】特許請求の範囲
【補正対象項目名】全文
【補正方法】変更
【補正の内容】
【特許請求の範囲】
【請求項１】
マンモグラムにおける病変の定量分類データを表示する方法であって、
前記マンモグラムのデジタル画像であって、前記デジタル画像において関心領域が未選択のデジタル画像を表示するステップと、
入力装置を使用するユーザから、前記表示されたデジタル画像上に直接表示され前記ユーザが選択した関心領域と、前記選択された関心領域において前記ユーザが選択した前記病変の標徴とを受け取るステップであって、前記選択された関心領域は前記ユーザが関心のある一つの前記病変を包含する前記マンモグラムにおける胸画像の一部であるステップと、
前記受け取りステップに続いて、コンピュータプロセッサを使用して前記デジタル画像を処理し、複数のパラメータから構成される、前記ユーザが選択した関心領域における前記ユーザが選択した前記病変の標徴の分類データが、定量化されるようにするステップと、
前記一つの病変を含んでおり前記ユーザが選択した関心領域と、前記ユーザが選択した関心領域における前記ユーザが選択した前記病変の標徴の前記定量分類データとを同時に表示するステップと
を含む方法。
【請求項２】
前記標徴が、棘状突起、微細石灰化、腫瘤の密度および腫瘤の辺縁からなる群より選ばれる、請求項１に記載の方法。
【請求項３】
前記表示された定量分類データが、前記デジタル画像から離れたディスプレイの一部に表示される、請求項１に記載の方法。
【請求項４】
前記表示ステップの前記表示された分類データが、複数のパラメータとして表示される、請求項１に記載の方法。
【請求項５】
前記複数のパラメータが、数値形式または多色グラフ形式の少なくとも１つで表示される、請求項１に記載の方法。
【請求項６】
前記分類データの前記複数のパラメータの少なくとも１つが、前記表示ステップで数値として表示され、前記数値が、ある期間にわたって同じ患者で撮影された一連のマンモグラムで追跡される、請求項１に記載の方法。
【請求項７】
前記デジタル画像を最初に前記プロセッサに提供した後、前記画像がディスプレイに転送される前に、前記デジタル画像を表示するステップが行われる、請求項１に記載の方法。
【請求項８】
前記デジタル画像がディスプレイに直接提供された後に、前記デジタル画像を表示するステップが行われる、請求項１に記載の方法。
【請求項９】
マンモグラムにおける病変の定量分類データを表示する方法であって、
前記マンモグラムのデジタル画像であって、前記デジタル画像において関心領域が未選択のデジタル画像を表示するステップと、
コンピュータプロセッサを使用して前記デジタル画像を処理し、各々が複数のパラメータから構成される、前記デジタル画像におけるすべての標徴のすべての分類データが、定量化され、後で取り出すことができるように記憶されるステップと、
入力装置を使用するユーザから、前記表示されたデジタル画像上に直接表示され前記ユーザが選択した関心領域と、前記選択された関心領域において前記ユーザが選択した前記病変の標徴とを受け取るステップであって、前記選択された関心領域は前記ユーザが関心のある一つの前記病変を包含する前記マンモグラムにおける胸画像の一部であるステップと、
前記受け取りステップに続いて、前記ユーザが選択した関心領域における前記ユーザが選択した前記病変の標徴の前記定量分類データを、記憶装置から取り出すステップと、
前記一つの病変を含んでおり前記ユーザが選択した関心領域と、前記ユーザが選択した関心領域における前記ユーザが選択した前記病変の標徴の前記定量分類データとを同時に表示するステップと
を含む方法。
【請求項１０】
前記標徴が、棘状突起、微細石灰化、腫瘤の密度および腫瘤の辺縁からなる群より選ばれる、ユーザが選択した標徴である、請求項９に記載の方法。
【請求項１１】
前記表示された分類データが、前記デジタル画像から離れたディスプレイの一部に表示される、請求項９に記載の方法。
【請求項１２】
前記取出しステップが、前記記憶された分類データを記憶装置から取り出して前記プロセッサに戻した後、前記分類データが前記プロセッサからディスプレイに転送されて表示されるようにするステップを含む、請求項９に記載の方法。
【請求項１３】
前記取出しステップが、前記記憶された分類データを記憶装置から取り出して、前記記憶装置からディスプレイへ直接転送して表示されるようにするステップを含む、請求項９に記載の方法。
【請求項１４】
前記表示ステップの前記表示された分類データが、複数のパラメータとして表示される、請求項９に記載の方法。
【請求項１５】
前記複数のパラメータが、数値形式または多色グラフ形式の少なくとも１つで表示される、請求項９に記載の方法。
【請求項１６】
前記分類データの前記複数のパラメータの少なくとも１つが、前記表示ステップで数値として表示され、前記数値が、ある期間にわたって同じ患者で撮影された一連のマンモグラムで追跡される、請求項９に記載の方法。
【請求項１７】
前記デジタル画像を最初に前記プロセッサに提供した後、前記画像がディスプレイに転送される前に、前記デジタル画像を表示するステップが行われる、請求項９に記載の方法。
【請求項１８】
前記デジタル画像がディスプレイに直接提供された後に、前記デジタル画像を表示するステップが行われる、請求項９に記載の方法。
【請求項１９】
マンモグラムにおける病変の定量分類データを表示するためのシステムであって、
前記マンモグラムのデジタル画像であって、前記デジタル画像において関心領域が未選択のデジタル画像を提供するための手段と、
前記マンモグラムの前記デジタル画像を表示するためのディスプレイと、
前記マンモグラムの前記表示されたデジタル画像上で、ユーザが関心のある一つの前記病変を包含する胸画像の一部である前記関心領域を選択可能に表示すると共に、前記病変の標徴を選択可能に表示するための前記ディスプレイと通信状態にあり、前記ユーザが操作する入力装置と、
前記マンモグラムの前記デジタル画像における前記ユーザが選択した前記病変の標徴に関連する分類データであって、複数のパラメータから構成される分類データを定量化するためのプロセッサであって、前記ディスプレイと通信状態にあるプロセッサと
を含み、
前記ユーザが選択する関心領域及び前記ユーザが選択する標徴は、前記プロセッサが前記デジタル画像を処理する前に選択され、
前記マンモグラムの前記デジタル画像と前記選択された関心領域とが、前記ディスプレイに表示され、前記ディスプレイが、前記デジタル画像及び前記選択された関心領域と共に、前記ユーザが選択した関心領域における前記ユーザが選択した前記病変の標徴に関連する前記定量分類データを同時に表示する、システム。
【請求項２０】
前記標徴が、棘状突起、微細石灰化、腫瘤の密度および腫瘤の辺縁からなる群より選ばれる、ユーザが選択した標徴である、請求項１９に記載のシステム。
【請求項２１】
前記表示された定量分類データが、前記デジタル画像から離れたディスプレイの一部に表示される、請求項１９に記載のシステム。
【請求項２２】
前記ディスプレイと前記プロセッサとの両方と通信状態にある記憶装置をさらに含み、前記マンモグラムの前記デジタル画像におけるすべての標徴のすべての前記定量分類データが最初に前記プロセッサにより処理され、次に前記記憶装置に記憶され、前記ユーザが選択した関心領域における前記ユーザが選択した前記病変の標徴に関連する前記分類データが、前記記憶装置から後で取り出され、前記ディスプレイに直接転送されて表示される、請求項１９に記載のシステム。
【請求項２３】
前記記憶装置が前記プロセッサの一部である、請求項２２に記載のシステム。
【請求項２４】
前記プロセッサと通信状態にある記憶装置をさらに含み、前記マンモグラムの前記デジタル画像におけるすべての標徴のすべての前記定量分類データが最初に前記プロセッサにより処理され、次に前記記憶装置に記憶され、前記ユーザが選択した関心領域における前記ユーザが選択した前記病変の標徴に関連する前記分類データが、前記プロセッサにより前記記憶装置から後で取り出され、前記プロセッサから前記ディスプレイに転送されて表示される、請求項１９に記載のシステム。
【請求項２５】
前記記憶装置が前記プロセッサの一部である、請求項２４に記載のシステム。
【請求項２６】
前記表示された分類データが、複数のパラメータとして表示される、請求項１９に記載のシステム。
【請求項２７】
前記マンモグラムのデジタル画像を提供するための手段が、マンモグラムをアナログ形式で提供するマンモグラム提供部を含み、前記提供されたアナログマンモグラムをデジタル表示するためのデジタイザをさらに含む、請求項１９に記載のシステム。
【請求項２８】
前記マンモグラムのデジタル画像を提供するための手段が、前記マンモグラムのデジタル画像を直接提供するデジタル撮像システムである、請求項１９に記載のシステム。